(57)【要約】【課題】本発明は、逆支弁の機能を容易に解除することができる弁装置を提供することを目的としている。【解決手段】弁装置２は、一方向だけに流体の流れを許し、反対方向には流れを阻止するようにフィルムで形成された逆支弁の機能を有したフィルム体２１と、一端をフィルム体２１に他端を外方にそれぞれ連通する通路部を内部に備えた通路体２２と、この通路体２２を回動自在に支持する支持部を備えた支持体２３と、通路体２２には通路部と通路体２２の外方とにそれぞれ連通する第１の開口部２２ｂが設けられ、支持体２３には前記支持部と支持体２３の外方とにそれぞれ連通する第２の開口部２３ｂが設けられ、第１の開口部２２ｂと第２の開口部２３ｂは、通路体２２を回動すると、第１の開口部２２ｂと第２の開口部２３ｂとが連通する関係にある。【選択図】図３
2004010141.tif 000002
【特許請求の範囲】
【請求項１】
一方向だけに流体の流れを許し、反対方向には流れを阻止するようにフィルムで形成された逆支弁の機能を有したフィルム体と、
一端を前記フィルム体に他端を外方にそれぞれ連通する通路部を内部に備えた通路体と、
この通路体を回動自在に支持する支持部を備えた支持体と、
前記通路体には前記通路部と前記通路体の外方とにそれぞれ連通する第１の開口部が設けられ、
前記支持体には前記支持部と前記支持体の外方とにそれぞれ連通する第２の開口部が設けられ、
前記第１の開口部と前記第２の開口部は、前記通路体を回動すると、前記第１の開口部と前記第２の開口部とが連通する関係にある
ことを特徴とする弁装置。
【請求項２】
通路体は、略筒形状をなした筒形状部を有し、
前記筒形状部の一端には、対向する位置に一対のスリットが設けられ、この一対のスリットの先端はそれぞれ開放し、
前記スリットを有した前記筒形状部の部分の外周に突起が設けられ、
前記筒形状部の他端には、前記筒形状部の外周より張り出す張り出し部が設けられ、
支持体は通路体を内在し、前記通路体の張り出し部が前記支持体の一方の端部より突出すると共に、前記通路体の張り出し部が前記支持体の一方の端部に当接し、　　　　　　　　　　　　　　　　　　　　　　　　　　　　　　　　前記通路体の突起が前記支持体の他方の端部より突出すると共に、前記通路体の突起が前記支持体の他方の端部に係止して、前記通路体を前記支持体により回動自在に支持している
こと特徴とする請求項１記載の弁装置。
【請求項３】
通路体は、略筒形状をなした筒形状部を有し、
前記筒形状部の一端には、対向する位置に一対のスリットが設けられ、この一対のスリットの先端はそれぞれ開放し、
前記スリットを有した前記筒形状部の部分の外周に突起が設けられ、
前記筒形状部の他端には、前記筒形状部の外周より張り出す張り出し部が設けられ、
支持体は通路体を内在し、前記通路体の張り出し部が前記支持体の一方の端部より突出すると共に、前記通路体の張り出し部が前記支持体の一方の端部に当接し、　　　　　　　　　　　　　　　　　　　　　　　　　　　　　　　　前記通路体の突起が前記支持体の他方の端部より突出すると共に、前記通路体の突起が前記支持体の他方の端部に係止して、前記通路体を前記支持体により回動自在に支持し、　　　　　　　　　　　　　　　　　　　　　　　　　　前記張り出し部の前記支持体の一方の端部に当接した側と反対側の面より突出し、指が当接する指当接部を設けている
こと特徴とする請求項１記載の弁装置。
【請求項４】
一方向だけに流体の流れを許し、反対方向には流れを阻止するようにフィルムで形成された逆支弁の機能を有したフィルム体と、
一端を前記フィルム体に他端を外方にそれぞれ連通する通路部を内部に備えた通路体と、
この通路体を回動自在に支持する支持部を備えた支持体と、
前記通路体には前記通路部と前記通路体の外方とにそれぞれ連通する第１の開口部が設けられ、
前記支持体には前記支持部と前記支持体の外方とにそれぞれ連通する第２の開口部が設けられ、
前記第１の開口部と前記第２の開口部は、前記通路体を回動すると、前記第１の開口部と前記第２の開口部とが連通する関係にある弁装置と、
この弁装置を内部に空気が入る袋体に取り付け、　　　　　　　　　　　取り付けは、前記張り出し部が前記袋体の外方に、前記フィルム体が前記袋体の内方に、位置するようになっている　　　　　　　　　　　　　　　　　ことを特徴とする袋。
【発明の詳細な説明】
【０００１】
本発明は、弁装置及び袋に係り、特に、逆支弁の機能を容易に解除することができる弁装置及び該弁装置を備えた袋に関する。
【０００２】
【従来の技術と発明が解決しようとする課題】
一方向だけに流体の流れを許し、反対方向には流れを阻止するようにフィルムで形成された逆支弁の機能を有したフィルム体を備えたストロ−ガイド付き弁袋がある（例えば、特開平７−５２９５８号公報参照）。
この公報記載のストロ−ガイド付き弁袋においては、弁袋に注入したガスを排出するには、パイプ（ストロ−ガイド）にストロ−を差し入れ、弁機能部を解除させるようにしている。
しかしながら、上述のストロ−ガイド付き弁袋においては、弁機能部を解除させるために、一々ストロ−を使用せねばならず面倒で、簡易かつ迅速に逆支弁の機能を解除できないという問題点が生じた。
本発明は、上述した問題点を除去するようにした弁装置及び袋を提供するものである。
【０００３】
【課題を解決するための手段】
上記目的を達成するために、請求項１記載の弁装置は、一方向だけに流体の流れを許し、反対方向には流れを阻止するようにフィルムで形成された逆支弁の機能を有したフィルム体と、一端を前記フィルム体に他端を外方にそれぞれ連通する通路部を内部に備えた通路体と、この通路体を回動自在に支持する支持部を備えた支持体と、前記通路体には前記通路部と前記通路体の外方とにそれぞれ連通する第１の開口部が設けられ、前記支持体には前記支持部と前記支持体の外方とにそれぞれ連通する第２の開口部が設けられ、前記第１の開口部と前記第２の開口部は、前記通路体を回動すると、前記第１の開口部と前記第２の開口部とが連通する関係にある。
【０００４】
また、請求項２記載の弁装置は、請求項１記載の弁装置において、通路体は、略筒形状をなした筒形状部を有し、前記筒形状部の一端には、対向する位置に一対のスリットが設けられ、この一対のスリットの先端はそれぞれ開放し、前記スリットを有した前記筒形状部の部分の外周に突起が設けられ、前記筒形状部の他端には、前記筒形状部の外周より張り出す張り出し部が設けられ、支持体は通路体を内在し、前記通路体の張り出し部が前記支持体の一方の端部より突出すると共に、前記通路体の張り出し部が前記支持体の一方の端部に当接し、前記通路体の突起が前記支持体の他方の端部より突出すると共に、前記通路体の突起が前記支持体の他方の端部に係止して、前記通路体を前記支持体により回動自在に支持している。
【０００５】
また、請求項３記載の弁装置は、請求項１記載の弁装置において、通路体は、略筒形状をなした筒形状部を有し、前記筒形状部の一端には、対向する位置に一対のスリットが設けられ、この一対のスリットの先端はそれぞれ開放し、前記スリットを有した前記筒形状部の部分の外周に突起が設けられ、前記筒形状部の他端には、前記筒形状部の外周より張り出す張り出し部が設けられ、支持体は通路体を内在し、前記通路体の張り出し部が前記支持体の一方の端部より突出すると共に、前記通路体の張り出し部が前記支持体の一方の端部に当接し、前記通路体の突起が前記支持体の他方の端部より突出すると共に、前記通路体の突起が前記支持体の他方の端部に係止して、前記通路体を前記支持体により回動自在に支持し、前記張り出し部の前記支持体の一方の端部に当接した側と反対側の面より突出し、指が当接する指当接部を設けている。
【０００６】
また、請求項４記載の袋は、一方向だけに流体の流れを許し、反対方向には流れを阻止するようにフィルムで形成された逆支弁の機能を有したフィルム体と、一端を前記フィルム体に他端を外方にそれぞれ連通する通路部を内部に備えた通路体と、この通路体を回動自在に支持する支持部を備えた支持体と、前記通路体には前記通路部と前記通路体の外方とにそれぞれ連通する第１の開口部が設けられ、前記支持体には前記支持部と前記支持体の外方とにそれぞれ連通する第２の開口部が設けられ、前記第１の開口部と前記第２の開口部は、前記通路体を回動すると、前記第１の開口部と前記第２の開口部とが連通する関係にある弁装置と、この弁装置を内部に空気が入る袋体に取り付け、取り付けは、前記張り出し部が前記袋体の外方に、前記フィルム体が前記袋体の内方に、位置するようになっている。
【０００７】
【実施例】
本発明の一実施例の弁装置及び袋を図面を参照して説明する。
図１及び図２において、１は袋で、袋１は、内部に流体（例えば、空気）を封入できる袋体１０を有し、この袋体１０には、弁装置２が取り付けられている。
取り付けは、後述するが、張り出し部２２ｆが袋体１０の外方に、フィルム体２１が袋体１０の内方に、位置するようになっている。
【０００８】
弁装置２は、一方向だけに流体の流れを許し、反対方向には流れを阻止するようにフィルムで形成された逆支弁の機能を有したフィルム体２１と、一端をフィルム体２１に他端を外方にそれぞれ連通する通路部２２ａを内部に備えた通路体２２と、この通路体２２を回動自在に支持する支持部２３ａを備えた支持体２３とを有している。
なお、フィルム体２１は、例えば、対向するフィルムを接着して流体流れの一方向に進むにつれて先細りとなるテ−パ部（図２の斜線部参照）を形成し、該テ−パ部を単数でも良いが、本実施例では、複数（本実施例では、３箇所）形成されている。
そして、袋体１０に弁装置２を介して流体が注入され、袋体１０の内圧が大きくなると、該内圧によりフィルム体２１は外側より押され、フィルム体２１内の通路が閉じ、フィルム体２１が逆支弁の機能を有するようになっている（なお、フィルムにより逆支弁の機能を有するものは公知で、本実施例に示すものに限られない。）。
通路体２２には通路部２２ａと通路体２２の外方とにそれぞれ連通する第１の開口部２２ｂが設けられている。また、支持体２３には支持部２３ａと支持体２３の外方とにそれぞれ連通する第２の開口部２３ｂが設けられている。そして、第１の開口部２２ｂと第２の開口部２３ｂは、通路体２２を回動すると、第１の開口部２２ｂと前記第２の開口部２３ｂとが連通する位置関係となっている。
【０００９】
即ち、通路体２２は、図３及び図４に示すように、略筒形状をなした筒形状部２２ｃを有し、筒形状部２２ｃの一端には、対向する位置に一対のスリット２２ｄが設けられ、この一対のスリット２２ｄの先端はそれぞれ開放している。このスリット２２ｄを有した筒形状部２２ｃの部分の外周には、突起２２ｅが設けられ、筒形状部２２ｃの他端には、筒形状部２２ｃの外周より張り出す張り出し部２２ｆが設けられている。
そして、支持体２３は通路体２２を内在し、通路体２２の張り出し部２２ｆが支持体２３の一方の端部より突出すると共に、通路体２２の張り出し部２２ｆが支持体２３の一方の端部に当接している（図３参照）。４はＯリングである。
通路体２２の突起２２ｅが支持体２３の他方の端部より突出すると共に、通路体２２の突起２２ｅが支持体２３の他方の端部に係止して、通路体２２を支持体２３により回動自在に支持するようになっている。
【００１０】
弁装置２を組み立てるに際しては、図４に示すように、通路体２２を支持体２３の中に挿入する。挿入過程において、図５（ａ）に示すように、スリット２２ｄにより通路体２２の先端は容易に変形し、通路体２２の突起２２ｅが支持体２３の先端を乗り越えると、通路体２２の突起２２ｅを規制するものがなくなることから、前述の変形が元に戻り、通路体２２の突起２２ｅが支持体２３の他方の端部に係止する状態となる［図５（ｂ）参照］。
【００１１】
また、張り出し部２２ｆの支持体２３の一方の端部に当接した側と反対側の面より突出し、指が当接する指当接部２２ｇを設けているため、指当接部２２ｇに指を当接させて、図６（ａ）（ｂ）に示す方向に通路体２２を回動させることができる。図６（ａ）は、第１の開口部２２ｂと第２の開口部２３ｂの非連通状態［図６（ｃ）参照］にあり、この状態で、通路体２２より流体を注入する。流体（例えば、空気）を注入すると、袋体１０に流体が封入されていき［図３の実線の袋体１０から図３の二点鎖線の袋体１０の移動状態参照］、封入を止めても、流体圧によりフィルム体２１を外側より押さえ、流体の封入通路を閉じ、フィルム体２１は逆支弁の機能を発揮する。
また、通路体２２を回動して、図７（ａ）（ｂ）に示すように位置させると、第１の開口部２２ｂと第２の開口部２３ｂの連通状態［図７（ｃ）参照］とすれば、通路体２２の外方と第２の開口部２３ｂは第１の開口部２２ｂを介して連通状態となり、フィルム体２１を介さない流れとなり、逆支弁の機能を容易に解除することができる。Ｓはストッパ−である。
なお、Ｆは蓋であり、５は蓋Ｆが弁装置２より離脱防止用の接続体５である。接続体５は、蓋Ｆに緩嵌した第１リング５１と、弁装置２の外周に緩嵌した第２リング５２と、第２リング５２と第１リング５１とを接続する接続部５３とを有している。　また、通路体２２と支持体２３との当接面、張り出し部２２ｆとＯリングとの当接面には、シリコングリスを介在させてシ−ル性を保持するようにしている。
【００１２】
【発明の効果】
請求項１記載の弁装置によれば、通路体の回動により第１の開口部と第２の開口部とを非連通の状態とすれば、通路体の外方とフィルム体は、通路体を介して連通状態となり、流体の流れは一方向だけとなり、通路体の回動により第１の開口部と第２の開口部とを連通の状態とすれば、通路体の外方と第２の開口部は第１の開口部を介して連通状態となり、フィルム体を介さない流れ、つまり、通路体を回動することにより第１の開口部と第２の開口部とを連通、非連通の状態として、逆支弁の機能を容易に解除することができる。
【００１３】
また、請求項２記載の弁装置によれば、上述の請求項１記載の発明の効果に加え、支持体は通路体を内在し、前記通路体の張り出し部が前記支持体の一方の端部より突出すると共に、前記通路体の張り出し部が前記支持体の一方の端部に当接し、前記通路体の突起が前記支持体の他方の端部より突出すると共に、前記通路体の突起が前記支持体の他方の端部に係止して、前記通路体を前記支持体により回動自在に支持する構成であるため、逆支弁の機能解除を備えた弁装置を容易にしかもコンパクトに制作することができる。
【００１４】
また、請求項３記載の弁装置によれば、上述の請求項２記載の発明の効果に加え、張り出し部の支持体の一方の端部に当接した側と反対側の面より突出し、指が当接する指当接部を設けているため、指を使って通路体を容易に回動することができる。
【００１５】
また、請求項４記載の袋によれば、袋体に取り付けられる弁装置の通路体の回動により第１の開口部と第２の開口部とを非連通の状態とすれば、通路体の外方とフィルム体は、通路体を介して連通状態となり、流体の流れは一方向だけとなり、通路体の回動により第１の開口部と第２の開口部とを連通の状態とすれば、通路体の外方と第２の開口部は第１の開口部を介して連通状態となり、フィルム体を介さない流れ、つまり、通路体を回動することにより第１の開口部と第２の開口部とを連通、非連通の状態として、逆支弁の機能を容易に解除することができる弁装置を袋体に取り付けているため、袋体の空気の出し入れを容易に行うことができる。
【図面の簡単な説明】
【図１】図１は、本発明の一実施例の袋の概略的斜視図である。
【図２】図２は、図１の袋の一部を拡大して示す概略的一部拡大平面図である。
【図３】図３は、図２のＸ−Ｘ線による概略的断面図である。
【図４】図４は、図１の弁装置の組み立て状態を示す概略的断面図である。
【図５】図５は、図４の通路体を支持体の中に挿入する状態の概略的断面図で、（ａ）は、通路体の先端が支持体の先端の手前に位置している状態を、（ｂ）は、通路体の先端が支持体の先端を乗り越えて、通路体の突起が支持体の先端に係止している状態をそれぞれ示している。
【図６】図６は、通路体の回動による第１の開口部と第２の開口部の非連通状態を示すもので、（ａ）は、第１の開口部と第２の開口部の非連通状態の通路体の指当接部の位置を、（ｂ）は、図３のＹ−Ｙ線による概略的断面図で、第１の開口部と第２の開口部の非連通状態の通路体の支持体内での位置を、（ｃ）は、図３のＺ−Ｚ線による概略的断面図で、第１の開口部と第２の開口部の非連通状態を、それぞれ示している。
【図７】図７は、通路体の回動による第１の開口部と第２の開口部の連通状態を示すもので、（ａ）は、第１の開口部と第２の開口部の連通状態の通路体の指当接部の位置を、（ｂ）は、図３のＹ−Ｙ線による概略的断面図で、第１の開口部と第２の開口部の連通状態の通路体の支持体内での位置を、（ｃ）は、図３のＺ−Ｚ線による概略的断面図で、第１の開口部と第２の開口部の連通状態を、それぞれ示している。
【符号の説明】
２　・・・・・弁装置
２１　・・・・・フィルム体
２２　・・・・・通路体
２２ｂ・・・・・第１の開口部
２３　・・・・・支持体
２３ｂ・・・・・第２の開口部
【図１】
2004010141.tif 000003
【図２】
2004010141.tif 000004
【図３】
2004010141.tif 000005
【図４】
2004010141.tif 000006
【図５】
2004010141.tif 000007
【図６】
2004010141.tif 000008
【図７】
2004010141.tif 000009